(57)【要約】      （修正有）【課題】構造が簡易であり組付が容易であるアンテナ構造を提供する。【解決手段】それぞれ略平板状の受容部を有した一対のボディ半体を受容部同士が対向するように組み合わせて構成されるケーシング１と、平面シート部材２の表面に、アンテナ回路およびこのアンテナ回路に繋がり信号用接続部とグランド用接続部とからなる一対の接続部２６を設けて構成され、受容部間に挟持収容される平面アンテナシート部材２と、ケーシング１に設けられてアンテナケーブルが接続可能であり、一端側において信号用接続部と接続されるとともに他端側においてアンテナケーブルの信号線と接続される信号用コンタクト、および一端側においてグランド用接続部と接続されるとともに他端側においてアンテナケーブルのグランド線と接続されるグランド用コンタクトを有してなるコネクタ３とから構成する。【選択図】図１
2006074655.tif 000002
【特許請求の範囲】
【請求項１】
それぞれ略平板状の受容部を有した一対のボディ半体を前記受容部同士を対向させるように組み合わせて構成されるケーシングと、
絶縁材製の平面シート部材の表面に、アンテナ回路と、前記アンテナ回路に繋がり信号用接続部およびグランド用接続部からなる一対の接続部とを設けて構成され、前記受容部間に挟持収容される平面アンテナシート部材と、
前記ケーシングに設けられてアンテナケーブルが接続可能であり、一端側において前記信号用接続部と接続されるとともに他端側において前記アンテナケーブルの信号線と接続される信号用コンタクトと、一端側において前記グランド用接続部と接続されるとともに他端側において前記アンテナケーブルのグランド線と接続されるグランド用コンタクトとを有してなるコネクタとから構成されるアンテナ構造。
【請求項２】
一方の前記ボディ半体の前記受容部が前記平面アンテナシート部材を収容する略平板状の凹状受容部から構成され、他方の前記ボディ半体の前記受容部が前記凹状受容部と嵌合する略平板状の凸状受容部から構成され、
前記平面アンテナシート部材が前記凹状受容部と前記凸状受容部とにより挟持収容されて構成されることを特徴とする請求項１に記載のアンテナ構造。
【請求項３】
前記アンテナシート部材の外形形状、および前記一対のボディ半体におけるそれぞれの前記受容部の平板状外形形状が、同一サイズの左右非対称形状であることを特徴とする請求項２のいずれかに記載のアンテナ構造。
【請求項４】
前記一対のボディ半体が前記平面アンテナシート部材を挟持収容するとともに前記コネクタを設けた状態として組み合わされたときに、前記信号用コンタクトの前記一端側と前記信号用接続部とが接触して電気的に接続されるとともに、前記グランド用コンタクトの前記一端側と前記グランド用接続部とが接触して電気的に接続されるように構成されることを特徴とする請求項１〜３のいずれかに記載のアンテナ構造。
【請求項５】
それぞれ略平板状の対向面を有した一対のボディ半体を前記対向面同士を対向させるように組み合わせて構成されるとともに、アンテナ回路と、前記アンテナ回路に繋がり信号用接続部およびグランド用接続部からなる一対の接続部とが前記一対のボディ半体のいずれか一方の前記対向面上に設けられてなるケーシングと、
前記ケーシングに設けられてアンテナケーブルが接続可能であり、一端側において前記信号用接続部と接続されるとともに他端側において前記アンテナケーブルの信号線と接続される信号用コンタクトと、一端側において前記グランド用接続部と接続されるとともに他端側において前記アンテナケーブルのグランド線と接続されるグランド用コンタクトとを有してなるコネクタとから構成されるアンテナ構造。
【請求項６】
前記一対のボディ半体が前記コネクタを設けた状態として組み合わされたときに、前記信号用コンタクトの前記一端側と前記信号用接続部とが接触して電気的に接続されるとともに、前記グランド用コンタクトの前記一端側と前記グランド用接続部とが接触して電気的に接続されるように構成されることを特徴とする請求項５に記載のアンテナ構造。
【請求項７】
前記一対のボディ半体のそれぞれに、前記一対のボディ半体が組み合わされたときに一体となって前記コネクタを収容するコネクタ収容部が設けられ、
一方の前記ボディ半体のコネクタ収容部に突起部が突出して設けられ、他方の前記ボディ半体のコネクタ収容部に前記突起部と係合する係合溝部が設けられ、前記コンタクトに貫通孔が設けられ、
前記コネクタを前記コネクタ収容部に収容して前記一対のボディ半体を組み合わせたときに、前記突起部が前記貫通孔を貫通して前記係合溝部と係合するとともに、前記コンタクトが互いの前記コネクタ収容部により挟持されて構成されることを特徴とする請求項１〜６のいずれかに記載のアンテナ構造。
【請求項８】
前記アンテナ回路の表面に対して背面側となる前記ケーシングの外側面にリブ部が突出して設けられ、
前記リブ部に取り付けられて上下左右方向に揺動可能とされるブラケットを介して固定部材に固定可能に構成されることを特徴とする請求項１〜７のいずれかに記載のアンテナ構造。
【発明の詳細な説明】
【技術分野】
【０００１】
本発明は、平面状のアンテナをケーシングに挟持収容して構成されるアンテナ構造に関する。
【背景技術】
【０００２】
従来、テレビ放送受信用の屋外アンテナとして、複数本の金属棒からなる八木アンテナ、円盤状の反射体を有してなるパラボラアンテナ等があり、例えば個々住宅の屋根等の設置される（例えば、特許文献１）。また、近年においては、アンテナ回路をシート状に印刷加工する技術が確立されている。
【特許文献１】特開２００４−８８３６８号公報
【発明の開示】
【発明が解決しようとする課題】
【０００３】
上記従来の屋外アンテナは、形状、重量が大きいため、風圧に抗した安定した固定を行うために３、４本からなる脚部を設ける必要がある。このため、アンテナアセンブリが全体として大型となって配設自由度が狭められるといった問題や、設置作業が複雑化するという問題があった。
【０００４】
また、アンテナ回路をシート状に印刷加工して成型されるアンテナにおいても、アンテナ回路と外部回路とを接続するために、アンテナ回路に繋がって設けられる接続部（ターミナル）とアンテナケーブルを接続可能なコネクタのコンタクトとを電気的に接続するには、半田付け、圧着等の作業工程を必要とし、アンテナの組付工程が複雑化するという問題があった。
【０００５】
上記問題に鑑みて本発明に係るアンテナ構造は、構造が簡単であり組付が容易であるアンテナ構造を提供することを目的とする。
【課題を解決するための手段】
【０００６】
上記目的達成のため、本発明に係るアンテナ構造は、それぞれ略平板状の受容部を有した一対のボディ半体を受容部同士が対向するように組み合わせて構成されるケーシングと、絶縁材製の平面シート部材の表面に、アンテナ回路およびこのアンテナ回路に繋がり信号用接続部とグランド用接続部とからなる一対の接続部を設けて構成され、受容部間に挟持収容される平面アンテナシート部材と、ケーシングに設けられてアンテナケーブルが接続可能であり、一端側において信号用接続部と接続されるとともに他端側においてアンテナケーブルの信号線と接続される信号用コンタクト、および一端側においてグランド用接続部と接続されるとともに他端側においてアンテナケーブルのグランド線と接続されるグランド用コンタクトを有してなるコネクタとから構成している。
【０００７】
また、一方のボディ半体の受容部を平面アンテナシート部材を収容する略平板状の凹状受容部から構成し、他方のボディ半体の受容部を凹状受容部と嵌合する略平板状の凸状受容部から構成し、平面アンテナシート部材を凹状受容部と凸状受容部とにより挟持収容して構成することが好ましい。
【０００８】
さらに、アンテナシート部材の外形形状、および一対のボディ半体におけるそれぞれの受容部の平板状外形形状を、同一サイズの左右非対称形状とすることが好ましい。
【０００９】
なお、一対のボディ半体を、平面アンテナシート部材が挟持収容されるとともにコネクタが設けられた状態として組み合わせたときに、信号用コンタクトの一端側が信号用接続部と接触して電気的に接続され、グランド用コンタクトの一端側のグランド用接続部と接触して電気的に接続されるように構成することが好ましい。
【００１０】
本発明に係る第２のアンテナ構造は、それぞれ略平板状の対向面を有した一対のボディ半体を対向面同士が対向するように組み合わせて構成されるとともに、アンテナ回路およびこのアンテナ回路に繋がり信号用接続部とグランド用接続部とからなる一対の接続部が一対のボディ半体のいずれか一方の対向面上に設けられてなるケーシングと、ケーシングに設けられてアンテナケーブルが接続可能であり、一端側において信号用接続部と接続されるとともに他端側においてアンテナケーブルの信号線と接続される信号用コンタクト、および一端側においてグランド用接続部と接続されるとともに他端側においてアンテナケーブルのグランド線と接続されるグランド用コンタクトを有してなるコネクタとから構成している。
【００１１】
なお、上記アンテナ構造において、一対のボディ半体をコネクタが設けられた状態として組み合わせたときに、信号用コンタクトの一端側が信号用接続部と接触して電気的に接続され、グランド用コンタクトの一端側のグランド用接続部と接触して電気的に接続されるように構成することが好ましい。
【００１２】
また、上記各アンテナ構造において、一対のボディ半体にそれぞれ、一対のボディ半体が組み合わされたときに一体となってコネクタを収容するコネクタ収容部を設け、一方のボディ半体のコネクタ収容部に突起部を突出して設け、他方のボディ半体のコネクタ収容部に突起部と係合する係合溝部を設け、コンタクトに貫通孔を設け、コネクタをコネクタ収容部に収容して一対のボディ半体を組み合わせたときに、突起部が貫通孔を貫通して係合溝部と係合するとともに、コンタクトが互いのコネクタ収容部により挟持されるように構成することが好ましい。
【００１３】
また、アンテナ回路の表面に対して背面側となるケーシングの外側面にリブ部を突出して設け、リブ部に取り付けられて上下左右方向に揺動可能とされるブラケットを介して固定部材に固定可能に構成してもよい。
【発明の効果】
【００１４】
本発明に係るアンテナ構造によれば、接続部が繋がる平面アンテナシート部材を、一対のボディ半体を組み付けてなるケーシングに挟持収容し、このケーシングにアンテナケーブルを接続可能とするコネクタを設けて構成される。このような構成により、簡易な構成で平面シート状の平面アンテナシート部材を収容してなるアンテナを提供することができる。そして、一方のボディ半体の受容部を凹状に設け、他方のボディ半体の受容部を凸状に設けて両者を嵌合させる構成とすることにより、平面アンテナシート部材のケーシングに対する位置決めが容易となるとともに、ケーシングの組付が強固なものとなる。また、平面アンテナシート部材の外形形状および各受容部の平板状外形形状を同一サイズの左右非対称形状とすることにより、平面アンテナシート部材および一対のボディ半体の取付方向を誤ることなく組立を行うことができる。
【００１５】
また、一対のボディ半体を平面アンテナシート部材が挟持収容されるとともにコネクタが設けられた状態として組み合わせたときに、一対のコンタクトが一対の接続部にそれぞれ接触される構成とすることにより、半田付け、圧着等の作業工程を要せずにコンタクトと接続部との電気的接続状態を保持させることができる。
【００１６】
第２の本発明に係るアンテナ構造によれば、いずれか一方にアンテナ回路を設けた一対のボディ半体を組み合わせてなるケーシングと、ケーシングに設けられてアンテナケーブルを接続可能とするコネクタとから構成している。このような構成により、第１の本発明に係るアンテナ構造と比較して部材点数を減らして組立が可能となり、さらに簡易に構成されるアンテナを提供することができる。
【００１７】
また、一対のボディ半体をコネクタが設けられた状態として組み合わせたときに、一対のコンタクトが一対の接続部にそれぞれ接触される構成とすることにより、第１の本発明に係るアンテナ構造と同様にして、半田付け、圧着等の作業工程を要せずにコンタクトと接続部との電気的接続状態を保持させることができる。
【００１８】
なお、上記２つのアンテナ構造において、一対のボディ半体のいずれか一方のコネクタ収容部に突起部を設け、他方のボディ半体のコネクタ収容部に突起部と係合する係合溝部を設け、コンタクトに貫通孔を設け、コネクタをコネクタ収容部に収容して一対のボディ半体を組み合わせたときに突起部が貫通孔を貫通して係合溝部と係合し、コンタクトが互いのコネクタ収容部により挟持されるように構成している。このような構成により、コンタクトに半田付け、圧着等を用いずとも安定した接続状態を保持することができる。
【００１９】
また、ケーシングの外側面にリブ部を突出して設け、リブ部に取り付けられて上下左右方向に揺動可能とされるブラケットを介して固定部材に固定可能とする構成により、アンテナ方向の微調整を行うことが可能となる。
【発明を実施するための最良の形態】
【００２０】
以下、本発明の好ましい実施形態について図面を参照して説明する。図１に示すようにアンテナ構造は、それぞれ樹脂材で成型された上下半体１０ａ，１０ｂを組み付けてなるケーシング１、平面シート状に形成されてアンテナ回路を表面に有したアンテナシート２、アンテナケーブル（図示せず）を接続可能としてケーシング１に取り付けられるコネクタ３から構成される。
【００２１】
図２，３に示すように、ケーシング１の下半体１０ａは、外形が左右対称の略矩形平板状に形成されており、縁部１１ａよりも高さを高く設定される切起し部１２ａが周設され、この切起し部１１ａの内方に底面が平板状に形成されて凹状受容部１３ａが設けられている。この凹状受容部１３ａは、底面高さが縁部１１ａよりも低く設定されているとともに、図２に示すように下辺が両側辺に対して斜行する左右非対称形状（台形状）となるように形成されている。また、下半体１０ａの中央下部には、凹状受容部１３ａと繋がるコネクタ収容部１４ａが設けられている。このコネクタ収容部１４ａは、凹状受容部１３ａと繋がって凹状受容部１３ａ底面と同一高さで下半体１０ａの下辺方向に延びて設けられるコンタクト収容部１５ａと、このコンタクト収容部１５ａと繋がって下半体１０ａの下辺中央部を半円弧状に下方凹設するとともに段差を設けて形成されるレセプタクル収容部１６ａとからなる。コンタクト収容部１５ａにおいては、上方に突出して２つの突起部１７ａ，１７ａが左右非対称に位置して設けられている。また、図３に示すように、背面側に突出して４本のリブ１９，１９，１９，１９が上下方向に延びて設けられており、中央２本のリブにおいては、それぞれ２箇所に貫通孔１９ａ，１９ａが穿設されている。
【００２２】
図４，５に示すように、ケーシング１の上半体１０ｂは、外形が上記下半体１０ａと同一形状に形成されるとともに、縁部１１ｂよりも高さを低く設定されて下半体１０ａの切起し部１２ａと係合可能な切欠き部１２ｂと、切欠き部１２ｂの内方に上記凹状受容部１３ａに嵌合可能に凹状受容部１３ａの外形形状と略同一形状に形成され、縁部１１ｂと同一高さの平板面を有した凸状受容部１３ｂとが設けられている。また、下半体１０ａと同様にして、上半体１０ｂの中央下部には、コネクタ収容部１４ｂが設けられている。上半体１０ｂのコネクタ収容部１４ｂにおいても、凸状受容部１３ｂの下辺中央部から下方において、上方に切欠かれて平板状に延びるコンタクト収容部１５ｂと、コンタクト収容部１５ｂと繋がって上半体１０ｂの下辺中央部を半円弧状に上方凸設されるとともに段差を設けて形成されるレセプタクル収容部１６ｂとからなる。そして、下半体１０ａと上半体１０ｂの外形を整合させて組み合わせたときに下半体１０ａのコンタクト収容部１５ａに設けられる突起部１７ａ，１７ａと係合するための係合溝部１７ｂ，１７ｂが、コンタクト収容部１５ｂの上面に設けられている。
【００２３】
図６に示すように、アンテナシート２は、外形形状を下半体の凹状受容部および上半体の凸状受容部と同一サイズに形成された樹脂製基板２０の上にアンテナ回路として機能する図示するパターンの導電性薄膜部２１を形成したものであり、導電性薄膜部２１は、第１アンテナユニット２２、第２アンテナユニット２３、コンデンサ回路２４、トランス回路２５から構成され、アンテナ回路から外部回路へ接続するための信号用接続部２６およびグランド用接続部２７からなる接続部が、上記のようにしてなるアンテナ回路パターンを延長させることによりアンテナ回路に一体形成されて設けられている。
【００２４】
第１アンテナユニット２２は、ＵＨＦ帯域の電磁波を送受信するものであり、一対の平行な軸部２２ｃ，２２ｄのそれぞれへ１２個の長方形枠形状の第１フラッグ素子２２ａ，２２ｂの下辺延長部分を連結して単位アンテナユニットが構成され、２つの単位アンテナユニット２２Ａ，２２Ｂが線対称に配置されて構成される。第１フラッグ素子２２ｃ，２２ｄの横辺は縦辺の約３倍の長さを有しており、また、第１アンテナユニット２２において両脇下に位置する第１フラッグ素子は他の第１フラッグ素子に比べて外方へ突出している。
【００２５】
第２アンテナユニット２３は、ＶＨＦ帯域の電磁波を送受信するものであり、線状本体２３ｅが第１アンテナユニット２２を枠状に囲繞して設けられ、線状本体２３ｅの先端部と基端部に第２フラッグ素子２３ａ，２３ｂが連結されている。この第２フラッグ素子２３ａ，２３ｂは、第１フラッグ素子２２ａ，２２ｂと同様に長方形枠形状で横辺が縦辺の約３倍の長さを有しており、横辺（下辺）が延長して第２アンテナユニット２３の線状本体２３ｅに接続されている。また、第２フラッグ素子２３ａ，２３ｂは、第１フラッグ素子２２ａ，２２ｂより大径に形成され、枠部２３ｃ，２３ｄにより囲繞されている。この第２フラッグ素子２３ａ，２３ｂおよび枠部２３ｃ，２３ｄは、アンテナシート２の中心線（単位アンテナユニット２２Ａ，２２Ｂの対称軸に実質的に一致する）に対して線対称に配置され、コンデンサ回路２４およびトランス回路２５は、第２フラッグ素子２３ａ，２３ｂおよび枠部２３ｃ，２３ｄにより挟まれるように配置されている。
【００２６】
第１アンテナユニット２２は、ハイパスフィルタとしての櫛形状のコンデンサ回路２４を介して信号用接続部２６に接続される。ローパスフィルタとしてのトランス回路２５はグランド用接続部２７と第２アンテナユニット２３との間からコンデンサ回路２４に連結される。これにより、第１アンテナユニット２２と第２アンテナユニット２３とは並列関係となる。
【００２７】
このアンテナシート２はパターンを縮小もしくは拡大することによりパターンの抵抗（接続部２６，２７間の抵抗）を変化させ、もって目的とする送受信電波の周波数に対応させることができる。本実施例においては、テレビ放送を受信するためにパターン抵抗がほぼ７５オームに設定されている。このようなアンテナシート２によれば、接続部２６，２７に高周波数の交流電圧が印加されたとき、例えば第１アンテナユニット２２のアンテナユニット２２Ａに正電荷が誘導され、他方のアンテナユニット２２Ｂに負電荷が誘導され、両者の間に電流が流れてＵＨＦ帯域の電磁波が放射される。また、第２アンテナユニット２３からはＶＨＦ帯域の電磁波が放射される。
【００２８】
図７に示すように、コネクタ３は、ニッケルメッキ等が施された凹部に段差の設けられた円筒状の保護部材に保護されてアンテナケーブルを接続してなるケーブルコネクタと接続可能なレセプタクル３１と、互いに基端部がレセプタクル３１に接続されて互いに平板状の一対のコンタクト３２，３３と、一対のコンタクトの下面においてコンタクトを保持するベース３４とから構成される。アンテナケーブルは、例えば同軸ケーブル等が用いられ、信号線とグランド線とを有して構成される。このようなアンテナケーブルのケーブルコネクタとレセプタクル３１とを接続すると、一方のコンタクト３２の基端部がアンテナケーブルの信号線と電気的に接続されて信号用コンタクトとして機能し、他方のコンタクト３３の基端部がアンテナケーブルのグランド線と電気的に接続されてグランド用コンタクトとして機能するように構成されている。
【００２９】
なお、このような信号用コンタクト３２は、レセプタクル３１の中央部から屈曲部が設けられてレセプタクル３１の軸方向に延び、グランド用コンタクト３３は、レセプタクルの外周近傍から同様にレセプタクル３１の軸方向に延びており、両コンタクトが平行に並んで配設されている。また、それぞれのコンタクト３２，３３において、先端部３２ａ，３３ａが下方に屈曲形成されるとともに、平板部に貫通孔３２ｂ，３３ｂが穿設されており、これら貫通孔３２ｂ，３３ｂは、下半体１０ａのコンタクト収容部１５ａに設けられる突起部１７ａ，１７ａ、上半体１０ｂのコンタクト収容部１５ｂに設けられる係合溝部１７ｂ，１７ｂと同様にして、左右非対称に位置するように設けられている。
【００３０】
上記のようにそれぞれ構成されるケーシング１の上下半体１０ａ，１０ｂ、アンテナシート２、コネクタ３の組付過程について説明する。まず、下半体１０ａの凹状受容部１３ａを上方に開放状態とし、次いでこの凹状収容部１３ａに、外形形状を同一サイズとされるアンテナシート２を収容させる。このアンテナシート２の収容時において、アンテナ回路を延長させることにより回路に一体形成されてアンテナシート２の下辺中央部から突出して設けられる接続部２６，２７が、凹状受容部１３ａと同一高さに設定されるコンタクト受容部１５ａの一部に載置された状態とされる。
【００３１】
次いで、コネクタ３が下半体１０ａのコネクタ収容部１４ａに収容され、平板状のコンタクトが平板状に形成されるコンタクト収容部１５ａ上に載置されるとともに、外形が段差を設けた円筒状に形成されるレセプタクル３１の下半が半円弧状に形成されるとともに段差が設けられるレセプタクル収容部１６ａの内郭に整合してレセプタクル収容部１６ａに収容される。このとき、コンタクト収容部１５ａから上方に突出して設けられる２つの突起部１７ａ，１７ａのそれぞれが信号用コンタクト３２およびグランド用コンタクト３３にそれぞれ設けられた貫通孔３２ｂ，３３ｂを貫通する。また、下方屈曲される信号用コンタクトの先端部３２ｂがアンテナシートの信号用接続部２６に接触され，同様に下方屈曲されるグランド用コンタクトの先端部３３ｂがアンテナシート２のグランド用接続部２７にそれぞれ接触される。
【００３２】
そして、上半体１０ｂが、凸状受容部１３ｂとアンテナシート２を収容した凹状受容部１３ａとを対向させる向きとして、下半体１０ｂと組み合わされる。これにより、切欠き部１２ｂが切起し部１２ａと係合し、凸状受容部１３ｂが凹状受容部１３ａ内に密嵌されてアンテナシート２がこれら両受容部間に挟持収容された状態となる。また、レセプタクル３１の上半がレセプタクル収容部１６ｂの内郭と整合するとともに、コンタクト収容部１５ｂに設けられた係合溝部１７ｂ，１７ｂが、コンタクト３２，３３の貫通孔３２ｂ，３３ｂを貫通して突出する２つの突起部１７ａ，１７ａとそれぞれ係合し、コンタクト３２，３３が上下半体１０ａ，１０ｂに平板状に設けられるコンタクト受容部１６ａ，１６ｂ間に挟持収容された状態となる。
【００３３】
このような組付過程により構成されるアンテナ構造によれば、凹状受容部１３ａおよびアンテナシート３は、それぞれ略同一サイズに形成されていることから、下半体１０ａに対するアンテナシート２の位置決めが容易になされ、さらに、左右非対称形状に形成されていることから、アンテナシート２が誤った方向に取り付けられることを回避できる。同様に、下半体１０ａのコンタクト収容部１５ａに設けられる突起部１７ａ，１７ａとコンタクトに設けられる貫通孔とは、それぞれ左右非対称位置に設けられていることから、コネクタ取付時にコンタクトの取付方向が表裏逆側とされるといったような誤った方向での取付が回避される。
【００３４】
また、上下半体１０ａ，１０ｂの組付においても、凸状受容部１０ｂが凹状受容部１０ａと同一サイズの左右非対称形状で形成されていることから、上半体１０ｂが下半体１０ａに対して誤った方向で取り付けられることが回避される。そして、互いの周縁部に設けられる切起し部１２ａおよび切欠き部１２ｂの係合、コンタクト収容部１５ａ，１５ｂに設けられる突起部１７ａ，１７ａおよび係合溝部１７ｂ，１７ｂの係合、対向面とされる凹状受容部１３ａおよび凸状受容部１３ｂの嵌合により上下半体１０ａ，１０ｂの組付が行われてケーシング１が構成されており、ケーシング１が強固に組付状態を保持するようになっている。
【００３５】
さらに、接続部２６，２７をアンテナ回路のパターン延長によって回路と一体に形成しており、接続部２６，２７の設定において半田付け、圧着等の作業工程を要しないアンテナ構造が提供される。このような接続部２６，２７とコネクタのコンタクト３２，３３とは接触により電気的に接続状態となる構成としているが、コンタクト３２，３３の先端部３２ａ，３３ａが下方に屈曲形成されることから、組付順序に因ってコンタクト３２，３３の下方に位置する接続部２６，２７に対してコンタクト３２，３３の接触性が向上するようになっている。また、上下半体１０ａ，１０ｂに平板状に形成されるコンタクト収容部１５ａ，１５ｂによりコンタクト３２，３３を挟持収容する構成により、コンタクト３２，３３と接続部２６，２７との接続状態が強固に保持される。そして、このようなコンタクト３２，３３の挟持収容は、アンテナ組付過程の中で、突起部１７ａ，１７ａおよび係合溝部１７ｂ，１７ｂの係合をはじめとした上下半体１０ａ，１０ｂの係合、嵌合等により機械的に行われ、半田付け、圧着等の作業工程を要せずコンタクト３２，３３と接続部２６，２７との接続状態の保持が保証される。
【００３６】
上記アンテナ構造を固定部材に対して固定状態とし、屋外に設置する際の構造例について図８を参照して説明する。図示するように、ケーシング１は、リブ１９，１９に固定される上下揺動ブラケット９１、上下揺動ブラケット９１と締結する左右揺動ブラケット９２、突出部９３ｂにおいて左右揺動ブラケット９２と締結される第１支柱ブラケット９３、第１支柱ブラケット９３の平板部９３ａとともに支柱９５を把持して支柱９５に固定される平板状の第２支柱ブラケット９４を介して、端部に異なる支柱等の固定部材に把持固定可能な把持部９９を有した支柱９５に固定される。
【００３７】
下半体１０ａの外面には４本のリブ１９，１９，１９，１９が上下に延びて設けられており、そのうち中央２つのリブにはそれぞれ上下に並んで２つの貫通孔１９ａ，１９ａが設けられている。上下揺動ブラケット９１は、上記中央２つのリブ１９，１９の配設間隔をもって対向する側面を有したコ字状に形成され、これら側面によって中央２つのリブ１９，１９を挟み込むように設けられており、リブ１９，１９の貫通孔を介してボルトおよびナットで締結されてケーシング１に対して固定される。
【００３８】
上下揺動ブラケット９１の両側面には、円弧状のガイド溝９１ａが設けられるとともにガイド溝９１ｇの上方に位置して貫通孔が設けられている。この上下揺動ブラケット９１の両側面と、コ字状に形成される左右揺動ブラケット９２の両側面とが、上記ガイド溝９１ｇおよび貫通孔にそれぞれ設けられるボルトおよびナットＮ１，Ｎ２により締結される。
【００３９】
また、第２支柱ブラケット９４は、上下左右に貫通孔を有する矩形平板状に形成されており、対する２辺縁が同方向に屈曲されてフランジ部９４ｆ，９４ｆが形成されている。フランジ部９４ｆ，９４ｆには支柱９５に係合するように切り欠きが設けられており、この切り欠きによる係合によって支柱９５に対して位置決めされるようになっている。
【００４０】
第１支柱ブラケット９３は、上下左右に貫通孔を有する矩形平板状に形成されて対する２辺縁が同方向に屈曲されてフランジ部を形成する平板部９３ａと、平板部９３ａから断面コ字状に突出して設けられて上方に平板面を形成する突出部９３ｂとが一体とされて形成されている。平板部９３ａの上下左右の貫通孔と、支柱９５にフランジ部９４ｆ，９４ｆの切り欠きを係合させた状態の第２支柱ブラケット９４の上下左右の貫通孔が、それぞれボルトおよびナットにより締結されて第１および第２支柱ブラケット９３，９４が支柱９５を把持して固定される。また、突出部９３ｂには円弧状のガイド溝９３ｇが設けられているとともにガイド溝９３ｇの前方に位置して貫通孔が設けられている。この突出部９３ｂの平板面と、左右揺動ブラケット９２の底面とが、上記ガイド溝９１ｇおよび貫通孔にそれぞれ設けられるボルトおよびナットＮ３，Ｎ４により締結される。
【００４１】
このようなアンテナ構造においては、ナットＮ２がガイド溝９１ｇの案内を受けることにより、上下揺動ブラケット９１が左右揺動ブラケット９２に対して図８(ｂ)に二点鎖線で示す矢印Ｙの方向に揺動可能とされ、ナットＮ４がガイド溝９３ｇの案内を受けることにより、左右揺動ブラケット９２が第１支柱ブラケット９３に対して図８(ａ)に二点鎖線で示す矢印Ｘの方向に揺動可能とされる。これにより、ケーシング１は、上下左右方向に揺動可能とされた状態で固定され、アンテナ方向の微調整を行うことが可能となる。
【００４２】
続いて、第２の本発明に係るアンテナ構造について図面を参照して説明する。ここで説明するアンテナ構造は、それぞれ樹脂材で成型された上下半体６０ａ，１０ｂを組み付けてなり、下半体においてアンテナ回路を表面に設けてなるケーシング６と、上記同様のコネクタ３等を有して構成される。なお、上記構造例と同一部材に対しては同一符号を用いて説明し、重複説明を省略する。
【００４３】
本構造例において、下半体６０ａは上記構造例と同一形状とされており、上半体１０ｂは上記構造例と同一のものとされている。上下半体６０ａ，１０ｂの互いの周縁部に設けられる切起し部６２ａおよび切欠き部１２ｂの係合、コンタクト収容部６５ａ，１５ｂに設けられる突起部６７ａ，６７ａおよび係合溝部１７ｂ，１７ｂの係合、凹状対向面６３ａおよび凸状対向面１３ｂの嵌合により、ケーシング６が構成されるようになっている。なお、ここで凹状対向面６３ａとして説明するものは上記構造例における凹状受容部１３ａの平板状底面と同一のものであり、凸状対向面１３ｂとして説明するものは、上記構造例における凸状受容部１３ｂの平板面と同一のものである。
【００４４】
ここで、下半体６０ａの凹状対向面６３ａには、上記構造例においてアンテナシート２の導電性薄膜部にパターン化されたものと同一のアンテナ回路７１がプリントされ、その上にメッキ保護を施している。また、信号用接続部７６およびグランド用接続部７７とからなる接続部は、アンテナ回路を凹状対向面６３ａの下辺縁から、凹状対向面６３ａと同一高さに設定されるコンタクト収容部６５ａまで延長することによりアンテナ回路７１と一体に設けられている。
【００４５】
上記のようにそれぞれ構成されるケーシング６の上下半体６０ａ，１０ｂ、コネクタ３の組付過程について説明する。まず、上記構造例と同様にして下半体６０ａ，１０ｂの凹状対向面６３ａを上方に開放状態とし、次いで、下半体６０ａのコネクタ収容部６４ａにコネクタ３を収容する。このとき、コンタクト３２，３３は上記構造例と同様にして貫通孔を突起部６７ａ，６７ａが貫通するようにして平板状のコンタクト収容部６５ａ上に載置された状態とされるが、下方屈曲される先端部３２ａ，３３ａがそれぞれ、コンタクト収容部６５ａ上にプリントされて設けられる接続部７６，７７に接触した状態とされる。
【００４６】
そして、上半体１０ｂが、凸状対向面１２ｂを凹状対向面６３ａと対向する向きとされて、下半体６０ａと組み合わされる。これにより、上下半体６０ａ，１０ｂが互いに係合、嵌合等により組み付けられた状態とされ、コネクタ３の保持部材の上半が半円弧状の保持部材収容部６６ａの内郭と整合して保持部材収容部６６ａ内に収容され、コンタクト３２，３３が互いのコンタクト収容部６５ａ，１５ｂにより挟持収容される。
【００４７】
このような本構造例においても、上記構造例と同様に、位置決めを容易に且つ取付方向を誤らずに組み立てることができ、コンタクト３２，３３と接続部７６，７７の電気接続において、半田付け、圧着等の作業行程を要せず、組付過程の中で機械的にコンタクト３２，３３を挟持収容して接続状態の保持を保証することができるという効果を得ることができる。
【００４８】
また、アンテナ回路の受信面に対して背面側、即ち、下半体６０ａにおける凹状対向面６３ａの背面側において上記実施例と同様のリブを設け、上記アンテナ構造で用いたブラケット９１〜９４を介設することで固定部材に固定でき、上下左右方向にケーシング６を首振り動させてアンテナ方向の微調整を行うことが可能となる。
【００４９】
なお、上記各構造例において、コンタクト３２，３３に設けられる貫通孔、コネクタ収容部１０ａ，１０ｂ，６０ａに設けられる突起部１７ａ，６７ａおよび係合溝部１７ｂをそれぞれ、左右非対称に位置するように２つ設けて構成したが、対称軸から偏位した位置であればそれぞれを１つとして構成しても、コンタクト３２，３３の位置決めおよび誤った方向への取付回避を行うことができる。
【００５０】
なお、上記では凹状受容部１３ａ（凹状対向面６３ａ）と凸状受容部１３ｂ（凸状対向面１３ｂ）との嵌合、突起部１７ａ（，６７ａ）と係合溝部１７ｂとの係合により上下半体を組付状態としたが、上下半体の縁部１１ａ，１１ｂ（，６１ａ）にそれぞれ所定間隔でネジ孔を設けてネジ締結を行ったり、接着剤を用いて両者を接着させること等により、ケーシング１の組付状態の強化を図ることも適宜可能である。また、同じく互いの縁部１１ａ，１１ｂ（，６１ａ）においてシール部材を周設して防水性の強化を図る構成としてもよい。
【図面の簡単な説明】
【００５１】
【図１】本発明に係るアンテナ構造により構成されるアンテナの側面図を示し、(ａ)が組付前、(ｂ)が組付後を示している。
【図２】上記アンテナを構成する下半体を示す平面図である。
【図３】(ａ)が図２の矢印IIIa−IIIa方向に見た断面図、(ｂ)が図２の矢印IIIb−IIIb方向に見た断面図である。
【図４】上記アンテナを構成する上半体を示す平面図である。
【図５】(ａ)が図４の矢印Va−Va方向に見た断面図、(ｂ)が図４の矢印Vb−Vb方向に見た断面図である。
【図６】上記アンテナを構成するアンテナシートを示す平面図である。
【図７】上記アンテナを構成するコネクタを示す図である。
【図８】ケーシングにブラケットを取り付ける際の構成を示しており、(ａ)が平面図、(ｂ)が側断面図である。
【図９】第２の本発明に係るアンテナ構造を構成する下半体の平面図である。
【符号の説明】
【００５２】
１，６  ケーシング
２  アンテナシート
３  コネクタ
９  アンテナケーブル
１０ａ，１０ｂ，６０ａ  半体
１３ａ  凹状受容部
１３ｂ  凸状受容部、凸状対向面
２６，２７，７６，７７  接続部
３２，３３  コンタクト
６３ａ  凹状対向面
９１〜９４  ブラケット
【図１】
2006074655.tif 000003
【図２】
2006074655.tif 000004
【図３】
2006074655.tif 000005
【図４】
2006074655.tif 000006
【図５】
2006074655.tif 000007
【図６】
2006074655.tif 000008
【図７】
2006074655.tif 000009
【図８】
2006074655.tif 000010
【図９】
2006074655.tif 000011